(57)【特許請求の範囲】
【請求項１】
プレート状の複数のフィンに貫通した複数の直状管体部を有する伝熱管と、
前記複数の直状管体部および前記複数のフィンの周囲を囲む複数の側壁部を有し、かつ上下両面部が加熱用気体の流出入用の開口部とされる缶体と、を備えており、
前記伝熱管は、前記複数の直状管体部が前記缶体の前後または左右の幅方向に間隔を隔てて並ぶとともに前記缶体の上下高さ方向に単段に設けられて連結用管体部を介して一連に接続された蛇行状に形成されており、
前記伝熱管の前記幅方向の両端に位置する２つの直状管体部のうち、一方は入水側管体部とされ、かつ他方は出湯側管体部とされ、前記伝熱管における湯水の流通は、前記入水側管体部から前記出湯側管体部に向けて一方向になされるように構成された、熱交換器であって、
前記入水側管体部とこれに対向接近する前記缶体の第１の側壁部との隙間の幅は、前記出湯側管体部とこれに対向接近する前記缶体の第２の側壁部との隙間の幅よりも大きくされていることを特徴とする、熱交換器。
【請求項２】
プレート状の複数のフィンに貫通した複数の直状管体部を有する伝熱管と、
前記複数の直状管体部および前記複数のフィンの周囲を囲む側壁部を有し、かつ上下両面部が加熱用気体の流出入用の開口部とされる缶体と、を備えており、
前記伝熱管は、前記複数の直状管体部が前記缶体の前後または左右の幅方向に間隔を隔てて並ぶとともに前記缶体の上下高さ方向に単段に設けられて連結用管体部を介して一連に接続された蛇行状に形成されており、
前記伝熱管の前記幅方向の両端に位置する２つの直状管体部のうち、一方は入水側管体部とされ、かつ他方は出湯側管体部とされ、前記伝熱管における湯水の流通は、前記入水側管体部から前記出湯側管体部に向けて一方向になされるように構成された、熱交換器であって、
前記複数のフィンには、これら複数のフィンどうしの間を前記加熱用気体が通過する際の抵抗となるように前記各フィンの表面の一部を突出させた加熱用気体の流れ規制部が複数設けられており、
これら複数の流れ規制部として、前記出湯側管体部とこれに対向接近する前記缶体の第２の側壁部との間またはその上方もしくは下方に位置する最出湯側の流れ規制部が設けられている一方、
前記入水側管体部とこれに対向接近する前記缶体の第１の側壁部との間およびその上下方の位置には、流れ規制部は設けられておらず、または前記最出湯側の流れ規制部よりも前記加熱用気体の流れに対する抵抗が小さい流れ規制部が設けられ、
前記入水側管体部の周辺部分よりも前記出湯側管体部の周辺部分の方が前記加熱用気体の流れに対する抵抗が大きくなるように構成されていることを特徴とする、熱交換器。
【請求項３】
プレート状の複数のフィンに貫通した複数の直状管体部を有する伝熱管と、
前記複数の直状管体部および前記複数のフィンの周囲を囲む側壁部を有し、かつ上下両面部が加熱用気体の流出入用の開口部とされる缶体と、を備えており、
前記伝熱管は、前記複数の直状管体部が前記缶体の前後または左右の幅方向に間隔を隔てて並ぶとともに前記缶体の上下高さ方向に単段に設けられて連結用管体部を介して一連に接続された蛇行状に形成されており、
前記伝熱管の前記幅方向の両端に位置する２つの直状管体部のうち、一方は入水側管体部とされ、かつ他方は出湯側管体部とされ、前記伝熱管における湯水の流通は、前記入水側管体部から前記出湯側管体部に向けて一方向になされるように構成された、熱交換器であって、
前記複数のフィンには、これら複数のフィンどうしの間を前記加熱用気体が通過する際の抵抗となるように前記各フィンの表面の一部を突出させた加熱用気体の流れ規制部が複数設けられており、
これら複数の流れ規制部として、前記複数の直状管体部どうしの間に設けられた複数の流れ規制部があり、これら複数の直状管体部のうち、前記入水側管体部とこれに隣接する直状管体部との間およびその上下方の領域に設けられている流れ規制部は、他の直状管体部どうしの各間およびその上下方の領域に設けられている流れ規制部よりも前記加熱用気体の流れに対する抵抗が小さい構成とされ、
前記入水側管体部の周辺部分よりも前記出湯側管体部の周辺部分の方が前記加熱用気体の流れに対する抵抗が大きくなるように構成されていることを特徴とする、熱交換器。
【請求項４】
請求項２または３に記載の熱交換器であって、
前記入水側管体部とこれに対向接近する前記缶体の第１の側壁部との隙間の幅は、前記出湯側管体部とこれに対向接近する前記缶体の第２の側壁部との隙間の幅よりも大きくされている、熱交換器。
【請求項５】
請求項１ないし４のいずれかに記載の熱交換器を備えていることを特徴とする、温水装置。
【発明の詳細な説明】
【技術分野】
【０００１】
本発明は、燃焼ガスなどの加熱用気体からフィンチューブタイプの伝熱管を用いて熱回収を行なうように構成された熱交換器、およびこの熱交換器を備えた給湯装置などの温水装置に関する。
【背景技術】
【０００２】
ガス給湯装置などの温水装置に用いられている熱交換器としては、間隔を隔てて並んだ多数枚のプレート状のフィンに伝熱管を貫通させ、かつこの伝熱管やフィンの周囲を缶体によって囲んだ構造のものがよく用いられている。このような構造の熱交換器においては、熱回収量を多くするための手段として、伝熱管を上下複数段に設ける場合が多い。ただし、このような手段によれば、熱交換器の上下高さ方向のサイズが大きくなる。そこで、従来においては、伝熱管を蛇行状に形成し、かつこの伝熱管を缶体の上下高さにおいて単段（１段）に設ける手段がある（たとえば、特許文献１を参照）。このような構成によれば、熱交換器全体の上下高さ寸法を小さくし、製造コストを低減することができる利点が得られる。
【０００３】
しかしながら、前記したように伝熱管の単段化を図る場合には、次に述べるような不具合を生じる虞がある。
【０００４】
すなわち、伝熱管を蛇行状に形成して単段に設けた場合において、この伝熱管の一端を入水口とし、かつ他端を出湯口として、伝熱管に通水を行なわせると、その通水方向は一方向となる。このような一方向の通水がなされる状態において、たとえば伝熱管の下方に配置されたバーナを燃焼駆動させて伝熱管を加熱すると、伝熱管の入水口寄り領域と出湯口寄り領域とでは、大きな温度差を生じる。具体的には、伝熱管の入水口寄り領域は、比較的低温の水が供給されたばかりであって、この水はバーナによって充分に加熱されていない状態にあるために、低温領域となる。これに対し、出湯口寄り領域では、入水口から出湯口に到達する迄の期間にわたってバーナにより充分に加熱された湯水が流通するために、高温領域となる。
このような現象を生じた場合、低温領域である入水口寄り領域においては、燃焼ガス中の水蒸気が凝縮し、燃焼ガス中の硫黄酸化物や窒素酸化物などを含んだ強酸性のドレイン（凝縮水）が発生し易い。強酸性のドレインが発生すると、伝熱管やフィンが耐酸性を有しないたとえば銅製とされているような場合において、これらが腐食し易くなる。一方、高温領域である出湯口寄り領域においては、伝熱管内を流通する湯水が過熱状態となって沸騰し、また伝熱管の高温酸化を生じるといったことが懸念される。したがって、これらの現象を適切に防止または抑制することが望まれる。
【先行技術文献】
【特許文献】
【０００５】
【特許文献１】実公平３−１８８７４号公報
【発明の概要】
【発明が解決しようとする課題】
【０００６】
本発明は、前記したような事情のもとで考え出されたものであり、伝熱管を単段化して全体の薄型化を図る場合において、入水側の領域においてドレインが発生することや、出湯側の領域において伝熱管内を流通する湯水が沸騰するといったことを適切に防止し、または抑制することが可能な熱交換器、およびこの熱交換器を備えた温水装置を提供することを、その課題としている。
【課題を解決するための手段】
【０００７】
上記の課題を解決するため、本発明では、次の技術的手段を講じている。
【０００８】
本発明の第１の側面により提供される熱交換器は、プレート状の複数のフィンに貫通した複数の直状管体部を有する伝熱管と、前記複数の直状管体部および前記複数のフィンの周囲を囲む複数の側壁部を有し、かつ上下両面部が加熱用気体の流出入用の開口部とされる缶体と、を備えており、前記伝熱管は、前記複数の直状管体部が前記缶体の前後または左右の幅方向に間隔を隔てて並ぶとともに前記缶体の上下高さ方向に単段に設けられて連結用管体部を介して一連に接続された蛇行状に形成されており、前記伝熱管の前記幅方向の両端に位置する２つの直状管体部のうち、一方は入水側管体部とされ、かつ他方は出湯側管体部とされ、前記伝熱管における湯水の流通は、前記入水側管体部から前記出湯側管体部に向けて一方向になされるように構成された、熱交換器であって、前記入水側管体部とこれに対向接近する前記缶体の第１の側壁部との隙間の幅は、前記出湯側管体部とこれに対向接近する前記缶体の第２の側壁部との隙間の幅よりも大きくされていることを特徴としている。
ここで、缶体の側壁部（第１の側壁部，第２の側壁部）は、缶体の主要部材とは別体の部材（たとえば、後述する実施形態の仕切部材３）を用いて構成された側壁部をも含む概念である。
【０００９】
このような構成によれば、伝熱管の入水側管体部と缶体の第１の側壁部との隙間を通過する加熱用気体の流量を多くする一方、出湯側管体部と缶体の第２の側壁部との隙間を通過する加熱用気体の流量を少なくすることができる。このため、伝熱管に低温の湯水が入水される場合であっても、入水側管体部およびその近傍部分に対する加熱量を多くして、これらの部分の温度を上昇させることができ、ドレインが発生することを防止または抑制することが可能となる。したがって、ドレインに起因して伝熱管やフィンが腐食し易くなるといった不具合を回避することができる。一方、伝熱管の出湯側管体部およびその近傍部分については、加熱用気体による加熱量を少なくすることができるために、伝熱管内を流通する湯水が過熱状態となって沸騰することや、伝熱管が高温酸化するといったことも適切に防止または抑制することが可能となる。
【００１０】
本発明の第２の側面により提供される熱交換器は、プレート状の複数のフィンに貫通した複数の直状管体部を有する伝熱管と、前記複数の直状管体部および前記複数のフィンの周囲を囲む側壁部を有し、かつ上下両面部が加熱用気体の流出入用の開口部とされる缶体と、を備えており、前記伝熱管は、前記複数の直状管体部が前記缶体の前後または左右の幅方向に間隔を隔てて並ぶとともに前記缶体の上下高さ方向に単段に設けられて連結用管体部を介して一連に接続された蛇行状に形成されており、前記伝熱管の前記幅方向の両端に位置する２つの直状管体部のうち、一方は入水側管体部とされ、かつ他方は出湯側管体部とされ、前記伝熱管における湯水の流通は、前記入水側管体部から前記出湯側管体部に向けて一方向になされるように構成された、熱交換器であって、前記複数のフィンには、これら複数のフィンどうしの間を前記加熱用気体が通過する際の抵抗となるように前記各フィンの表面の一部を突出させた加熱用気体の流れ規制部が複数設けられており、これら複数の流れ規制部として、前記出湯側管体部とこれに対向接近する前記缶体の第２の側壁部との間またはその上方もしくは下方に位置する最出湯側の流れ規制部が設けられている一方、前記入水側管体部とこれに対向接近する前記缶体の第１の側壁部との間およびその上下方の位置には、流れ規制部は設けられておらず、または前記最出湯側の流れ規制部よりも前記加熱用気体の流れに対する抵抗が小さい流れ規制部が設けられ、前記入水側管体部の周辺部分よりも前記出湯側管体部の周辺部分の方が前記加熱用気体の流れに対する抵抗が大きくなるように構成されていることを特徴としている。
【００１１】
このような構成によれば、各ファンに加熱用気体の流れ規制部が所定の偏った状態に設けられていることに基づき、入水側管体部の周辺部には多くの加熱用気体が流れ易くなり、かつ出湯側管体部の周辺部には多くの加熱用気体が流れ難くなる作用が得られる。したがって、本発明の第１の側面によって提供される熱交換器と同様に、伝熱管の入水側管体
部およびその近傍部分の温度を高くし、この領域にドレインが発生することを適切に防止または抑制することができる。また、伝熱管の出湯側管体部およびその近傍部分が過当な高温領域にならないようにし、伝熱管内を流通する湯水が沸騰することや、伝熱管が高温酸化するといったことも適切に防止または抑制することができる。
【００１３】
さらに、前記構成によれば、伝熱管の入水側管体部と缶体の第１の側壁部との間には、加熱用気体が多く流れ易くなり、出湯側管体部と缶体の第２の側壁部との間には、加熱用気体が多く流れないようにすることができる。したがって、入水側管体部およびその周辺部の温度を高め、また出湯側管体部およびその周辺部が過当な高温領域になることを抑制するのに好適である。
【００１４】
本発明の第３の側面により提供される熱交換器は、プレート状の複数のフィンに貫通した複数の直状管体部を有する伝熱管と、前記複数の直状管体部および前記複数のフィンの周囲を囲む側壁部を有し、かつ上下両面部が加熱用気体の流出入用の開口部とされる缶体と、を備えており、前記伝熱管は、前記複数の直状管体部が前記缶体の前後または左右の幅方向に間隔を隔てて並ぶとともに前記缶体の上下高さ方向に単段に設けられて連結用管体部を介して一連に接続された蛇行状に形成されており、前記伝熱管の前記幅方向の両端に位置する２つの直状管体部のうち、一方は入水側管体部とされ、かつ他方は出湯側管体部とされ、前記伝熱管における湯水の流通は、前記入水側管体部から前記出湯側管体部に向けて一方向になされるように構成された、熱交換器であって、前記複数のフィンには、これら複数のフィンどうしの間を前記加熱用気体が通過する際の抵抗となるように前記各フィンの表面の一部を突出させた加熱用気体の流れ規制部が複数設けられており、これら複数の流れ規制部として、前記複数の直状管体部どうしの間に設けられた複数の流れ規制部があり、これら複数の直状管体部のうち、前記入水側管体部とこれに隣接する直状管体部との間およびその上下方の領域に設けられている流れ規制部は、他の直状管体部どうしの各間およびその上下方の領域に設けられている流れ規制部よりも前記加熱用気体の流れに対する抵抗が小さい構成とされ、前記入水側管体部の周辺部分よりも前記出湯側管体部の周辺部分の方が前記加熱用気体の流れに対する抵抗が大きくなるように構成されていることを特徴としている。
【００１５】
このような構成によれば、伝熱管の入水側管体部とこれに隣接する直状管体部との間を流れる加熱用気体の量を多くすることができる。したがって、入水側管体部およびその周辺領域の温度をより高めることが可能であり、ドレインの発生を防止する上で一層好ましい。
【００１６】
本発明においては、第１の側面により提供される熱交換器と、第２または第３の側面により提供される熱交換器とのそれぞれの特徴的な構成の双方を備えた構成とすることが可能である。
具体的には、第２または第３の側面により提供される熱交換器において、前記入水側管体部とこれに対向接近する前記缶体の第１の側壁部との隙間の幅は、前記出湯側管体部とこれに対向接近する前記缶体の第２の側壁部との隙間の幅よりも大きくされた構成とすることが可能である。
【００１７】
このような構成によれば、入水側管体部およびその周辺部が低温領域となってドレインが発生することや、出湯側管体部およびその周辺部が過熱状態となることを、より徹底して防止することができる。
【００１８】
本発明の第４の側面により提供される温水装置は、本発明の第１ないし第３の側面のいずれかにより提供される熱交換器を備えていることを特徴としている。
【００１９】
このような構成によれば、本発明の第１ないし第３の側面により提供される熱交換器について述べたのと同様な効果が得られる。
【００２０】
本発明のその他の特徴および利点は、添付図面を参照して以下に行なう発明の実施の形態の説明から、より明らかになるであろう。
【図面の簡単な説明】
【００２１】
【図１】本発明が適用された熱交換器(１次熱交換器)を備えた温水装置の一例を示す概略正面断面図である。
【図２】図１のII−II断面図である。
【図３】図１のIII−III断面図である。
【図４】図１に示す１次熱交換器の平面断面図である。
【図５】図１に示す温水装置の要部概略正面断面図である。
【図６】（ａ）は、図５のVIa−VIa断面図であり、（ｂ）は、（ａ）のVIb−VIb断面図である。
【図７】図５のVII−VII断面図である。
【図８】図１に示す１次熱交換器に仕切部材を装着する状態を示す要部分解断面図である。
【図９】図１に示す温水装置の２次熱交換器を示す平面断面図である。
【図１０】本発明に係る温水装置の他の例を示す概略正面断面図である。
【発明を実施するための形態】
【００２２】
以下、本発明の好ましい実施の形態について、図面を参照して具体的に説明する。
【００２３】
図１〜図９は、本発明が適用された温水装置、およびこれに関連する構成の一例を示している。
図１によく表われているように、本実施形態の温水装置ＷＨ１は、バーナ５、１次熱交換器ＨＥ１、２次熱交換器ＨＥ２、およびこれら全体を囲む外装ケース９０を備えている。この温水装置ＷＨ１は、一般給湯と、風呂給湯または暖房用給湯との２系統の給湯動作を独立して行なうことが可能であり、１次熱交換器ＨＥ１、および２次熱交換器ＨＥ２は、ともに１缶２回路方式である。
【００２４】
１次熱交換器ＨＥ１は、本発明に係る熱交換器の一例に相当し、１つの缶体６内に、平面視蛇行状の第１および第２の伝熱管Ｔ１，Ｔ２が収容された構成である。２次熱交換器ＨＥ２は、１つのケース７内に、螺旋状に形成された複数の第３および第４の伝熱管Ｔ３，Ｔ４が収容された構成であり、本発明に係る熱交換器には相当しない。
【００２５】
バーナ５は、たとえばガスバーナであり、ファン５１からバーナケース５０内に上向きに送られてくる燃焼用空気を利用して燃料ガスを燃焼させる。ただし、このバーナ５は、燃料の燃焼動作を個別に制御可能な第１および第２の燃焼領域Ａ１，Ａ２を有している。第１および第２の燃焼領域Ａ１，Ａ２の上方領域は、仕切部材５２によって仕切られ、第１および第２の燃焼領域Ａ１，Ａ２のそれぞれにおいて発生された燃焼ガスは第１および第２の伝熱管Ｔ１，Ｔ２に向けて個別に進行するようになっている。
【００２６】
１次熱交換器ＨＥ１は、燃焼ガスから顕熱を回収するためのものであり、この１次熱交換器ＨＥ１を構成する缶体６、第１および第２の伝熱管Ｔ１，Ｔ２、ならびに後述するフィン２Ａ，２Ｂは、いずれも銅製である。この１次熱交換器ＨＥ１の缶体６は、上下方向に起立した側壁部６０ａ〜６０ｄを有する平面視略矩形の枠状である。ただし、本発明でいう「缶体の側壁部」の概念には、後述する仕切部材３の側壁部３０ａも含まれる。缶体６の上下両面部は、矩形状に開口しており、燃焼ガスの流出入口に相当する。バーナ５によって発生された燃焼ガスは、缶体６内をその下方から上方に向けて通過する。
【００２７】
図４に示すように、第１の伝熱管Ｔ１は、フィン２Ａに貫通する複数の直状管体部１１ａが略Ｕ字状の連結用管体部１２ａを介して一連に繋がった平面視蛇行状である。より具体的には、複数の直状管体部１１ａは、缶体６の前後方向に延びる向きとされて、缶体６の左右幅方向である水平方向に略一定間隔で並び、かつ上下高さ方向に単段に設けられた状態とされている。各直状管体部１１ａの両端部は、缶体６の側壁部６０ａ，６０ｂを貫
通し、かつこれら側壁部６０ａ，６０ｂにロウ付などの手段を用いて接合されている。互いに隣り合う直状管体部１１ａの端部どうしは、Ｕ字管を利用した連結用管体部１２ａを介して接続されている。第２の伝熱管Ｔ２は、フィン２Ｂに貫通して上下高さ方向に単段に設けられた複数の直状管体部１１ｂと連結用管体部１２ｂとを有しており、第１の伝熱管Ｔ１と同様に、それらは平面視蛇行状に繋がり、かつ側壁部６０ａ，６０ｂに支持されている。第１および第２の伝熱管Ｔ１，Ｔ２は、略同一高さに揃えられて、缶体６の左右幅方向に並んでいる。
【００２８】
第１および第２の伝熱管Ｔ１，Ｔ２の入水口１５ａ，１５ｂは、缶体６の側壁６０ｃ，６０ｄに最も接近した位置の直状管体部１１ａ，１１ｂに、継手用管体１２a',１２b'を連結して設けられている。なお、継手用管体１２a',１２b'またはこれに相当する部材を用いることなく、入水側管体部１１a'，１１b'の一端開口部をそのまま入水口とすることもできる。この点は、次の出湯口１６ａ，１６ｂも同様である。出湯口１６ａ，１６ｂは、後述する仕切部材３に最接近した直状管体部１１ａ，１１ｂの一端開口部である。このような構成により、入水口１５ａ，１５ｂに供給されたそれぞれの湯水は、第１および第２の伝熱管Ｔ１，Ｔ２に沿って蛇行して流れるものの、矢印Ｎ１，Ｎ２に示すように、缶体６の側壁６０ｃ，６０ｄに接近した位置から仕切部材３側に向けて一方向に流れ、出湯口１６ａ，１６ｂに到達する。なお、本発明においては、前記湯水の流通方向を前記方向とは反対とすることもできる。
【００２９】
フィン２Ａ，２Ｂは、燃焼ガスからの熱回収量を多くするためのものであり、缶体６の左右幅方向に延びた薄手のプレート状である。図５に示すように、フィン２Ａ，２Ｂの一端部は、缶体６の側壁部６０ｃ，６０ｄにロウ付けなどの手段を用いて接合されている。一方、図８に示すように、フィン２Ａ，２Ｂの他端部は、缶体６には接合されておらず、これらの間に形成された隙間６８には、フィン２Ａ，２Ｂ間を仕切る仕切部材３が挿入して装着されている。仕切部材３は、たとえば耐熱性に優れた金属板が断面コ字状またはこれに類する形態に屈曲されて構成されたものであり、一側縁部（図面では下側縁部）どうしが繋がり、かつ互いに隙間を隔てて対向する一対の板状の側壁部３０ａ，３０ｂを有している。これら一対の側壁部３０ａ，３０ｂは、バネ性をもって撓み変形可能であり、このことにより仕切部材３は、その厚みが変更可能である。この仕切部材３は、厚みがやや小さくなるように圧縮された状態で隙間６８に挿入されて保持されている。
【００３０】
第１の伝熱管Ｔ１およびフィン２Ａについては、缶体６の側壁部６０ｃに対向接近する直状管体部１１ａ（入水側管体部１１a'）寄りの領域が低温領域になることを抑制し、かつ仕切部材３の側壁部３０ａに対向接近する直状管体部１１ａ（出湯側管体部１１a"）寄りの領域が過熱状態になることを抑制するための手段として、次のような手段が講じられている（なお、缶体６の側壁部６０ｃは、本発明でいう第１の側壁部の一例に相当し、仕切部材３の側壁部３０ａは、本発明でいう第２の側壁部の一例に相当する。本発明でいう第１および第２の側壁部は、缶体自体が具備している側壁部に限らず、缶体とは別体に形成された部材であって、缶体に直接または間接的に取付けられた部材によって構成されたものであってもよい）。
【００３１】
図５において、入水側管体部１１a'と側壁部６０ｃとの隙間Ｃ１の幅Ｌ１は、出湯側管体部１１a"と側壁部３０ａとの隙間Ｃ２の幅Ｌ２よりも大きくされている。このことにより、後述するように、隙間Ｃ１を通過する燃焼ガスの量を多くする一方、隙間Ｃ２を通過する燃焼ガスの量を少なくすることができる。なお、複数の直状管体部１１ａの配列ピッチは、一定とされている（ただし、入水側管体部１１a'に接近するほど直状管体部１１ａの配列ピッチを徐々に大きくし、入水側管体部１１a'寄り領域を通過する燃料ガスの量を多くするように構成してもかまわない）。
【００３２】
フィン２Ａには、燃焼ガスの流れ規制部２０，２１が設けられている。この流れ規制部２０，２１は、フィン２Ａの複数箇所を部分的に突出させた部分であって、本来的には、フィン２Ａと燃焼ガスとの接触度合いを高めて熱回収量を多くするためのものであるが、本実施形態においては、燃焼ガスの流通量制御にも利用されている。これら流れ規制部２０，２１は、缶体６の幅方向において均一な分布には設けられておらず、入水側管体部１１a'の周辺部分よりも出湯側管体部１１a"の周辺部分の方が、燃焼ガス流れに対する抵抗が大きくなるように設けられている。より具体的には、出湯側管体部１１a"と側壁部３０ａとの隙間Ｃ２の上方には、流れ規制部２０（本発明でいう最出湯側の流れ規制部）が設けられているのに対し、入水側管体部１１a'と側壁部６０ｃとの隙間Ｃ１およびその上下には、流れ規制部２０に相当する流れ規制部は設けられていない。ただし、これに代えて、隙間Ｃ２およびその上下のいずれかに流れ規制部２０よりも小サイズ（低抵抗）の流れ規制部を設けた構成とすることができる。流れ規制部２０は、たとえば図７に示すように、フィン２Ａの一部がフィン２Ａの前方または後方に適当な寸法だけ突出するように押し出された形態である。
【００３３】
隣り合う直状管体部１１ａの各間およびその上方領域には、複数の流れ規制部２１が設けられている。これらのうち、入水側管体部１１a'とこれに隣接する直状管体部１１ａどうしの間およびその上方領域に設けられた流れ規制部２１（２１ａ）は、これ以外の流れ規制部２１よりも燃焼ガス流れに対する抵抗が小さくなるように構成されている。本実施形態では、そのための手段として、流れ規制部２１ａの数を、他の箇所に設けられた流れ規制部２１の数よりも少なくしている。ただし、本発明においては、これに代えて、または加えて、流れ規制部２１，２１ａのサイズを相違させるようにしてもかまわない。流れ規制部２１（２１ａも含む）は、たとえば図６に示すような形態であり、切り起こしの手法を用いて形成されている。すなわち、流れ規制部２１は、フィン２Ａに略平行な２条の切り目を形成した後に、これら２条の切り目に挟まれた部分を断面コ字状に屈曲させるようにしてフィン２Ａの前方または後方に突出させたものである。
【００３４】
フィン２Ｂには、熱回収量を多くするための凸状部（流れ規制部）が適宜設けられているものの、伝熱管Ｔ２の入水側部分への燃焼ガス通過量を出湯側部分の燃焼ガス通過量よりも積極的に多くするための手段はとくに講じられていない。これは、伝熱管Ｔ２は、風呂給湯用または暖房給湯用であって、伝熱管Ｔ１と比較すると、バーナ５による加熱量が少ないために、入水側においてドレインが発生し難く、また出湯側において過熱状態が生じ難いためである。ただし、本実施形態とは異なり、伝熱管Ｔ２についても、伝熱管Ｔ１と同様に、入水側部分への燃焼ガス通過量を多くし、かつ出湯側部分への燃焼ガス通過量を少なくするための手段を講じてもよい。
【００３５】
図１において、２次熱交換器ＨＥ２は、１次熱交換器ＨＥ１を通過した燃焼ガスから潜熱を回収するためのものであり、１次熱交換器ＨＥ１上に載設されたケース７内に、複数の第３および第４の伝熱管Ｔ３，Ｔ４が収容され、かつそれらの間が仕切板７４を介して仕切られた構成である。第３および第４の伝熱管Ｔ３，Ｔ４、ならびにケース７は、潜熱回収に伴って発生する強酸性のドレインに対する耐食性を有すべくその材質はたとえばステンレスである。図９に示すように、複数の第３の伝熱管Ｔ３は、サイズが相違する螺旋状管体として形成されて、重ね巻き状に配列されており、それらの上下両端部は、ケース７の外部に引き出されて通水用のヘッダ７５ａ，７５ｂと連結されている。複数の第４の伝熱管Ｔ４も、その基本的な形態は第３の伝熱管Ｔ３と同様であり、重ね巻き状に配列された螺旋状管体として形成され、かつその上下両端部には、通水用のヘッダ７５ｃ，７５ｄが連結されている。
【００３６】
２次熱交換器ＨＥ２のケース７は、底壁部７０ａに給気口７１ａ，７１ｂを有し、かつ前壁部７０ｂに排気口７２を有している。図２に示すように、１次熱交換器ＨＥ１の第１
の伝熱管Ｔ１が設けられた箇所を通過した燃焼ガスは、給気口７１ａからケース７内に進行し、第３の伝熱管Ｔ３どうしの隙間を通過した後に排気口７２から外部に排出される。また、図３に示すように、１次熱交換器ＨＥ１の第２の伝熱管Ｔ２が設けられた箇所を通過した燃焼ガスは、給気口７１ｂからケース７内に進行し、第４の伝熱管Ｔ４どうしの隙間を通過した後に排気口７２から外部に排出される。このような過程において、燃焼ガスから第３および第４の伝熱管Ｔ３，Ｔ４により潜熱回収がなされる。潜熱回収に伴って発生した強酸性のドレインは、第３および第４の伝熱管Ｔ３，Ｔ４からケース７の底壁部７０ａ上に流れ落ちてから、図示されていないドレイン排出口を通過してケース７の外部に排出されるようになっている。
【００３７】
図１に示すように、外装ケース９０の底部または側部には、給水管８０ａ，８０ｂが接続される外部入水口９０ａ，９０ｂ、および出湯管８１ａ，８１ｂが接続される外部出湯口９２ａ，９２ｂが設けられている。外部入水口９０ａに供給された湯水は、配管部９２ａを介してヘッダ７５ｂに供給されることにより、２次熱交換器ＨＥ２の第３の伝熱管Ｔ３内を流通する。その後、この湯水は、ヘッダ７５ａおよび配管部９３ａを介して１次熱交換器ＨＥ１の入水口１５ａに送られ、第１の伝熱管Ｔ１内を通過する。第１の伝熱管Ｔ１を通過して出湯口１６ａに到達した湯水は、その後に配管部９４ａを介して外部出湯口９２ａに到達する。外部出湯口９２ａに到達した湯水は、たとえば台所や洗面所などに供給される。
【００３８】
一方、外部入水口９０ｂに供給された湯水は、配管部９２ｂを介してヘッダ７５ｄに供給されることにより、２次熱交換器ＨＥ２の第４の伝熱管Ｔ４内を流通する。その後、この湯水は、ヘッダ７５ｃおよび配管部９３ｂを介して１次熱交換器ＨＥ１の入水口１５ｂに送られ、第２の伝熱管Ｔ２内を通過する。第２の伝熱管Ｔ２を通過して出湯口１６ｂに到達した湯水は、その後に配管部９４ｂを介して外部出湯口９１ｂに到達し、風呂給湯用または暖房給湯用として所定の箇所に供給される。
【００３９】
次に、前記した温水装置ＷＨ１の作用について説明する。
【００４０】
まず、１次熱交換器ＨＥ１の第１および第２の伝熱管Ｔ１，Ｔ２は、複数の直状管体部１１ａ，１１ｂが、上下方向に単段（１段）に設けられた構成である。このため、直状管体部１１ａ，１１ｂを上下複数段に設けた場合と比較して、１次熱交換器ＨＥ１を薄型化し、温水装置ＷＨ１全体の小型化、ならびに製造コストの低減を図ることができる。
【００４１】
バーナ５を燃焼駆動させて、燃焼ガスを１次熱交換器ＨＥ１に向けて進行させた場合、入水側管体部１１a'の周辺部分には比較的多くの燃焼ガスを供給させることができるとともに、出湯側管体部１１a"の周辺部分には余り多くの燃焼ガスが供給されないようにすることができる。これは、既述したように、隙間Ｃ１，Ｃ２の幅Ｌ１，Ｌ２が、Ｌ１＞Ｌ２の関係にあることや、隙間Ｃ２についてはその上方に燃焼ガスの流れ規制部２０が設けられて燃焼ガス流れに対する抵抗を生じるのに対し、隙間Ｃ１については流れ規制部２０に相当する手段が設けられておらず、燃焼ガス流れに対する抵抗が小さくされていることによる。さらに、複数の流れ規制部２１ａは、他の流れ規制部２１よりも燃焼ガス流れに対する抵抗が小さく、入水側管体部１１a'とこれに隣接する直状管体部１１ａとの間にも燃焼ガスが流入し易いことにもよる。
【００４２】
伝熱管Ｔ１には、２次熱交換器ＨＥ２の伝熱管Ｔ３を通過して加熱された湯水が供給されるものの、伝熱管Ｔ３への入水温度がかなり低い場合には、伝熱管Ｔ１への入水温度が比較的低くなる。これに対し、前記したように入水側管体部１１a'の周辺部分に比較的多くの燃焼ガスが供給されると、伝熱管Ｔ１に低温の湯水が供給された場合であっても、入水側管体部１１a'の周辺部分が低温状態に維持されることは適切に抑制される。その結果
、それらの部分に多くのドレインが発生しないようにし、ドレインに起因して入水側管体部１１a'やフィン２Ａが腐食し易くなる不具合を適切に抑制することができる。
【００４３】
一方、伝熱管Ｔ１内の湯水温度は、この伝熱管Ｔ１の末端に相当する出湯側管体部１１a"において最も高温となる。これに対し、この出湯側管体部１１a"の周辺部分については、既述したように、燃焼ガス供給量が多くならないようにされる。したがって、出湯側管体部１１a"およびその周辺部分において、湯水が加熱状態となって沸騰することを適切に防止することができる。湯水が沸騰すると、伝熱管Ｔ１内に気泡が生じ、円滑な湯水流通が行なわれなくなる他、伝熱管Ｔ１が湯水によって冷却されなくなって伝熱管Ｔ１が熱損傷するといった不具合を生じるが、本実施形態によれば、そのような不具合も適切に防止することが可能である。
【００４４】
図１０は、本発明の他の実施形態を示している。同図において、前記実施形態と同一または類似の要素には、前記実施形態と同一の符号を付し、その説明は省略する。同図に示す温水装置ＷＨ２においては、１次熱交換器ＨＥ１および２次熱交換器ＨＥ２が、１缶２回路には構成されておらず、一系統のみの給湯機能を備えたものとして構成されている。本実施形態においては、前記実施形態の仕切部材３に相当する部材は用いられておらず、出湯側管体部１１a"には、缶体６の側壁部６０d'が対向接近している。したがって、この側壁部６０d'が、本発明でいう第２の側壁部の他の具体例に相当する。
【００４５】
本発明は、上述した実施形態の内容に限定されない。本発明に係る熱交換器および温水装置の各部の具体的な構成は、本発明の意図する範囲内において種々に設計変更自在である。
【００４６】
入水側管体部１１a'の周辺領域の燃焼ガス供給量を多くし、かつ出湯側管体部１１a"の周辺領域の燃焼ガス供給量を少なくするための手段としては、隙間Ｃ１，Ｃ２の幅Ｌ１，Ｌ２を、Ｌ１＞Ｌ２の関係に設定する手段のみを適用し、フィン２Ａに設けられる燃焼ガス用の流れ規制部２０，２１を不均一に設ける手段を適用しない構成としてもよい。また、これとは反対に、燃焼ガス用の流れ規制部２０，２１を不均一に設ける手段を適用し、Ｌ１＞Ｌ２の関係に設定する手段を適用しない構成とすることもできる。
【００４７】
本発明でいう加熱用気体の流れ規制部は、複数のフィンどうしの間を加熱用気体が通過する際の抵抗となるように各フィンの表面の一部を突出させた形態を有するものであればよい。したがって、前記したようにフィンの一部を押し出したもの、きり起こし状に形成したものの他、たとえばバーリング孔(孔の周辺部分が凸状に起立)とすることもできる。
【００４８】
本発明に係る温水装置は、必ずしも１次および２次の２つの熱交換器を備えたものとして構成されていなくてもよく、熱交換器として、本発明に係る熱交換器を１つのみ用いた温水装置とすることもできる。上述の実施形態では、バーナの上方に熱交換器が設けられて、燃焼ガスが熱交換器の下方から上方に向けて進行するいわゆる正燃方式とされているが、これとは反対に、バーナの下方に熱交換器が設けられて、燃焼ガスが上方から下方に向けて進行する逆燃方式とすることも可能である。本発明でいう加熱用気体としては、バーナを利用して発生させた燃焼ガスに限らず、たとえば燃料電池やガスエンジンなどから排出される高温の排ガスを利用することもできる。本発明でいう温水装置とは、湯を生成する機能を備えた装置の意であり、一般給湯用、風呂給湯用、暖房用、あるいは融雪用などの各種の給湯装置、および給湯以外に用いられる湯を生成する装置を広く含む。
【符号の説明】
【００４９】
ＷＨ１，ＷＨ２  温水装置
ＨＥ１  １次熱交換器（本発明に係る熱交換器）
ＨＥ２  ２次熱交換器
Ｔ１  第１の伝熱管（伝熱管）
Ｃ１，Ｃ２  隙間
２Ａ  フィン
３  仕切部材
６  缶体
１１ａ  直状管体部
１１a'  入水側管体部
１１a"  出湯側管体部
１２ａ  連結用管体部
２０，２１  流れ規制部（加熱用気体の流れ規制部）
３０ａ  側壁部（第２の側壁部）
６０ｃ  側壁部（第１の側壁部）
６０ｄ’  側壁部（第２の側壁部）
【図１】
0005835569.tif 000002
【図２】
0005835569.tif 000003
【図３】
0005835569.tif 000004
【図４】
0005835569.tif 000005
【図５】
0005835569.tif 000006
【図６】
0005835569.tif 000007
【図７】
0005835569.tif 000008
【図８】
0005835569.tif 000009
【図９】
0005835569.tif 000010
【図１０】
0005835569.tif 000011